(57)【要約】  【課題】  広告の訴求効果をより向上させる広告媒体用の装飾具を提供する  【解決手段】  広告媒体用の装飾具１０は、反射部材１０２の反射面側に光透過性立体物を備える。【選択図】  図２
2017129836.tif 000002
【特許請求の範囲】
【請求項１】
広告媒体用の装飾具であって、
反射部材の反射面側に光透過性立体物を備えること
を特徴とする装飾具。
【請求項２】
請求項１に記載の装飾具であって、
前記広告媒体は、商品、写真、画像、模型、または文字の少なくとも何れかを有し、
前記装飾具は、前記商品、写真、画像、模型、または文字の少なくとも何れかの近傍に配置されるものであること
を特徴とする装飾具。
【請求項３】
請求項１または２に記載の装飾具であって、
一部がファセットカットされていること
を特徴とする装飾具。
【請求項４】
請求項１から３の何れか一項に記載の装飾具であって、
高さが幅の１／２以上であること
を特徴とする装飾具。
【請求項５】
請求項１から４の何れか一項に記載の装飾具であって、
裏面にベースを有していること
を特徴とする装飾具。
【請求項６】
請求項５に記載の装飾具であって、
前記ベースは、前記裏面との接触面が、前記裏面よりも小さな面積を有していること
を特徴とする装飾具。
【請求項７】
請求項６に記載の装飾具であって、
前記ベースは、当該ベースの底面から周囲に延出するフランジ部を有していること
を特徴とする装飾具。
【請求項８】
請求項５に記載の装飾具であって、
前記ベースは、前記裏面との接触面が、前記裏面より大きな面積を有していること
を特徴とする装飾具。
【請求項９】
請求項１から８の何れか一項に記載の装飾具であって、
前記光透過性立体物は、中空の部材を備えること
を特徴とする装飾具。
【請求項１０】
請求項１から８の何れか一項に記載の装飾具であって、
前記光透過性立体物は、同心の複数の中空部材を備えること
を特徴とする装飾具。
【請求項１１】
請求項１から８の何れか一項に記載の装飾具であって、
前記光透過性立体物は、複数の円柱部材を備えること
を特徴とする装飾具。
【請求項１２】
請求項１から８の何れか一項に記載の装飾具であって、
前記光透過性立体物は、複数の多角柱部材を備えること
を特徴とする装飾具。
【請求項１３】
請求項５から８の何れか一項に記載の装飾具であって、
前記ベースは、湾曲面を有し、前記反射部材は前記湾曲面に形成されていること
を特徴とする装飾具。
【請求項１４】
請求項５から８の何れか一項に記載の装飾具であって、
前記ベースには、反射片が含まれていること
を特徴とする装飾具。
【請求項１５】
請求項１〜１４の何れか一項に記載の装飾具であって、
前記光透過性立体物は、ラメ糸、金属片、鉱石粉体、ビーズ、蛍光材、畜光材、導光材の少なくとも一つを含んでいる
を特徴とする装飾具。
【発明の詳細な説明】
【技術分野】
【０００１】
本発明は、広告媒体用の装飾具に関する。
【背景技術】
【０００２】
現在、広告情報の表示には、多種多様な媒体が用いられている。例えば紙、偏光フィルム等の特殊シート、ディスプレイ装置等は、頻繁に利用される。中でもディスプレイ装置の映像は、大掛かりである反面、人目を惹き易い。
【０００３】
そこで近年では、視認性と軽量性を兼ね備えた広告媒体が開発されている。例えば、特許文献１には、表示部の表示内容を経時変化させる電子ペーパー部材を備えた広告媒体が開示されている。
【先行技術文献】
【特許文献】
【０００４】
【特許文献１】特開２０１３−１９５４６０号公報
【発明の概要】
【発明が解決しようとする課題】
【０００５】
しかしながら、このような映像型の広告媒体が氾濫する今日では視覚的な情報量があまりにも多く、その訴求効果は薄れつつある。また、このような広告媒体を各店舗に設置すると、コストの面でも非常に大きな負担となる。
【０００６】
一方で、ＰＯＰやパッケージ、ディスプレイボード等の紙や樹脂等による広告媒体は、安価で適用範囲が広く、最も手軽に用いることのできるものである。しかしながら、このような静止広告を提示する広告媒体では、情報が平面的になりがちであり、如何に視認性を高めるかが課題であった。
【０００７】
そこで本発明は、広告の訴求効果をより向上させる広告媒体用の装飾具に関する技術を提供することを目的とする。
【課題を解決するための手段】
【０００８】
上記課題を解決するために、本発明の広告媒体用の装飾具は、反射部材の反射面側に光透過性立体物を備えることを特徴とする。
【０００９】
また、前記広告媒体は、商品、写真、画像、模型、または文字の少なくとも何れかを有し、前記装飾具は、前記商品、写真、画像、模型、または文字の少なくとも何れかの近傍に配置されるものであってもよい。
【００１０】
また、一部がファセットカットされていてもよい。
【００１１】
また、高さが幅の１／２以上であってもよい。
【００１２】
また、裏面にベースを有していてもよい。
【００１３】
また、前記ベースは、前記裏面との接触面が、前記裏面よりも小さな面積を有していてもよい。
【００１４】
また、前記ベースは、当該ベースの底面から周囲に延出するフランジ部を有していてもよい。
【００１５】
また、前記ベースは、前記裏面との接触面が、前記裏面より大きな面積を有していてもよい。
【００１６】
また、前記光透過性立体物は、中空の部材を備えていてもよい。
【００１７】
また、前記光透過性立体物は、同心の複数の中空部材を備えていてもよい。
【００１８】
また、前記光透過性立体物は、複数の円柱部材を備えていてもよい。
【００１９】
また、前記光透過性立体物は、複数の多角柱部材を備えていてもよい。
【００２０】
また、前記ベースは、湾曲面を有し、前記反射部材は湾曲面に形成されていてもよい。
【００２１】
また、前記ベースには、反射片が含まれていてもよい。前記光透過性立体物は、ラメ糸、金属片、鉱石粉体、ビーズ、蛍光材、畜光材、導光材の少なくとも一つを含んでいてもよい。
【発明の効果】
【００２２】
本発明によれば、広告の訴求効果をより向上させる広告媒体用の装飾具を提供できる。
【図面の簡単な説明】
【００２３】
【図１】本発明の第１の実施形態に係る広告媒体１の斜視図である。
【図２】（Ａ）（Ｂ）装飾具１０の斜視図である。
【図３】（Ａ）装飾具１０ａの説明図、（Ｂ）装飾具１０の説明図である。
【図４】（Ａ）〜（Ｆ）装飾具１０の変形例の説明図である。
【図５】（Ａ）〜（Ｃ）装飾具１０の変形例の説明図である。
【図６】（Ａ）〜（Ｃ）装飾具１０ｍの取り付け例の説明図である。
【図７】（Ａ）〜（Ｃ）装飾具１０ｎの取り付け例の説明図である。
【図８】（Ａ）〜（Ｃ）装飾具１０оの取り付け例の説明図である。
【図９】（Ａ）装飾具１０ｐの取り付け例の説明図、（Ｂ）装飾具１０ｑの取り付け例の説明図である。
【図１０】広告媒体２の斜視図である。
【図１１】広告媒体３の正面図である。
【図１２】広告媒体４の正面図である。
【図１３】（Ａ）（Ｂ）装飾具の変形例の説明図である。
【発明を実施するための形態】
【００２４】
本発明の実施の形態について、以下、図に基づいて説明する。
【００２５】
図１は、本発明の第１の実施形態に係る広告媒体１の斜視図である。図１に示すように、本発明の広告媒体１は、商品の外装パッケージである。一般的な商品パッケージには、その外側面に、内容商品の説明やイメージ等、商品に関わる情報が提示されている。なお、広告媒体１のボード１１は、外装パッケージに利用可能なもの、例えば、紙、樹脂、材木、陶器、金属、ガラス等、どのような材料から形成されていてもよいものとする。
【００２６】
本実施形態に係る広告媒体１には、図１に示すように、ボード１１の表面に商品画像（または商品写真）Ａ、その他の装飾や効果等を示す画像Ｂ１及びＢ２、効果や値段、商品名等を示す文字Ｄが記載されているものとする。さらに広告媒体１には、上記に加えてその強調位置に装飾具１０が取り付けられている。ここでは、商品の一端が発光していることを示す商品画像Ａの発光位置周辺に施された画像Ｂ１及び画像Ｂ２、そして文字Ｄの周辺である。なお、本例における画像Ｂ１は染色や模様を円形に施したものであり、画像Ｂ２は模様そのものである。
【００２７】
装飾具１０は光透過性の立体物である。その立体形状はどのようなものであってもよいが、例えば、球体、半球体、角柱体、角錐体、円柱体、円錐体、トーラス体、中空角筒、中空円筒等が挙げられる。また、視認性向上のため、これらの立体形状の一部が加工されていてもよい。加工には例えば、角度の違う多数の切子面（ファセット）や、鏡面、着色、反射部材の混入等が挙げられる。
【００２８】
図２（Ａ）は、装飾具１０の斜視図、図２（Ｂ）は、装飾具１０の説明図である。具体的に、本実施形態に係る広告媒体１に取り付けられた装飾具１０は、図２（Ａ）に示すように、略円柱形状の上面がファセットカット１０１に加工され、下側面が光を鏡面反射するように反射部材１０２が設けられた光透過性立体物である。このような加工により、光が屈折及び反射してより視認性が高まっている。また装飾具１０は、図２（Ｂ）に示すように、周辺位置、ここでは例えばＺ点の光を屈折透過して視認させ易い。従って、強調位置に施された円形の画像Ｂ１やＢ２の周辺に取り付けることによって、画像Ｂ１及びＢ２を効果的に視認させることができる。
【００２９】
なお、反射部材１０２はアルミ蒸着や、アルミ箔の貼り付け等によって形成することができる。
【００３０】
さらに、取り付けられる装飾具１０の数は１個または２個以上の複数個であってもよく、またその配置も所望の位置に取り付けることができる。例えば、強調位置を取り囲んだり、それ自体が模様を形作るよう並べたり、また行頭文字の代わりに利用する等してもよい。
【００３１】
また、装飾具１０は、その幅Ｄや高さＬについては自由に設定することができる。図３（Ａ）は、装飾具１０よりも高さＬの小さな装飾具１０ａの説明図、図３（Ｂ）は、装飾具１０ａよりも高さＬの大きな装飾具１０の説明図である。
【００３２】
図３（Ａ）で示す装飾具１０ａは高さＬが小さく、近い距離（Ｚ点）の色や模様を視認させ難く、主に遠い距離（Ｘ点）を経た反射光が視認されるが、その範囲は狭い。一方で、図３（Ｂ）で示す装飾具１０は高さＬが大きく、周辺位置（Ｙ点，Ｚ点）の光が届きやすい。よって、近傍の強調位置における色彩や模様を、側面側から見た場合でも視認させやすい。なお、このような効果を得るには、高さＬが幅Ｄの１／２以上（例えば、０．６〜３．０倍、より好ましくは１．０〜２．０倍）であることが望ましい。
【００３３】
以下、装飾具１０のさらなる変形例について示す。図４（Ａ）〜（Ｆ）及び図５（Ａ）〜（Ｃ）は、装飾具１０の変形例の説明図である。
【００３４】
図４（Ａ）には、略角柱体形状を有する装飾具１０ｂを示す。装飾具１０ｂは、例えばここでは８角の略角柱体の上面側がファセットカット加工されたものである。
【００３５】
図４（Ｂ）には、略円柱形状を有する装飾具１０ｃの正面図及び側面図を示す。装飾具１０ｃは、上面側が斜面（水平面に対して、３０〜６０度。例えば略４５度）に加工されている。
【００３６】
図４（Ｃ）には、略円筒形状を有する装飾具１０ｄの上面図及び正面図を示す。装飾具１０ｄは、内部に中空部分を有する円筒である。
【００３７】
図４（Ｄ）には、複数の略円筒形状を有する装飾具１０ｅの上面図及び正面図を示す。装飾具１０ｅは、内部に中空部分を有する円筒の内部にさらに円筒を挿入した二重構造の円筒である。
【００３８】
図４（Ｅ）には、複数の装飾具を組み合わせた装飾具１０ｆの上面図及び正面図を示す。装飾具１０ｆは、略円柱形状を有する装飾具１０ｈを中心として、その周囲に均等に上述の装飾具１０ｃを４つ均等に配したものである。なお、装飾具１０ｃの数はこれに限らず、いくつもうけてもよい。中心の円柱は水平面でカットされているが、周囲の円柱は、外側に下降する方向の傾斜（好ましくは、水平面に対して３０〜６０度。ここでは例えば、略４５度）にカットされた形状である。
【００３９】
図４（Ｆ）には、複数の多角柱を組み合わせた装飾具１０ｇの上面図及び正面図を示す。装飾具１０ｇは、略６角柱形状を有する装飾具１０ｉを中心として、その周囲に同形状の装飾具１０ｉを６つ配し、装飾具１０ｉを取り囲んだものである。なお、中心の装飾具１０ｉを除き中空としてもよい。また、傾斜にカットした形状にしてもよい。
【００４０】
図５（Ａ）には、ベース１０４と、反射部材１０２に凹凸部１０３を設けた装飾具１０ｊの側面図を示す。ベース１０４は、装飾具の本体１１０を載せる基礎となる部材であり、光透過性を有するものであればどのような材料から形成されていてもよい。ここでは、ベース１０４は板状であるものとする。また反射部材１０２は、ベースに設けられ、下面側に凹凸部１０３を備え、これが光を乱反射させることで装飾具本体が視認され易くしている。なお、凹凸部１０３は、凹凸形状に限定されず、ダイヤ目等の構造であってもよい。
【００４１】
図５（Ｂ）には、ベース１０６が、下側に湾曲した凸となった装飾具１０ｋを示す。装飾具１０ｋは、ベース１０４が下側に凸となった凸レンズの形状を有している。反射部材１０２は、ベースに設けられている。なお、このような形状に限らず、鋸状の断面を有するフレネルレンズ等の形状を有していてもよい。
【００４２】
図５（Ｃ）には、ベース１０７が、反射片１０８を含んでいる装飾具１０ｌを示す。装飾具１０ｌの反射片１０８は、例えば、ラメ糸や金属片、鉱石粉体、ビーズ、蛍光材、畜光材、導光材等からなり、これが光を乱反射させることで装飾具本体が視認され易くしている。そして、より一層艶やかに光の輝きや変化を与えることができる。
また、ベースのみならず、本体の光透過性立体物に、ラメ糸や金属片、鉱石粉体、ビーズ、蛍光材、畜光材、導光材を含ませてもよい。これにより、より一層艶やかに光の輝きや変化を与えることができる。
ここで、ホログラムとの比較で、本実施例の利点を説明する。例えば、ホログラムを利用した展示物は、見る方向で見える物が変化するが、一定の角度までは変化して見ない。また、決められた変化である。更に、全体の画像が変化する事を特徴としていることが多く、また、高価である。
一方、本実施例の光透過性立体物を使用した展示物は、展示物を見る際に、見る人が動く事により、それぞれの見る方向の変化で、光の強度や、色の変化、模様の変化が部分的に発生し、容易に目を引くことが出来るのが特徴である。特に人間は、人などの目の動き等に敏感に反応しやすい。光透過性立体物の光などの変化もその様な目の動きの反応に類似すると言える。これにより、部分的な注目が集まり、展示物の写真や、製品、文字の強調したい点に光透過性立体物を配することで、注目を集めやすくすることができる。また、安価に製造できると同時に、後から強調点を替えるなど、配する場所を変更する事が容易である特徴を有する。
【００４３】
次に、装飾具のパッケージ等への取り付けについて説明する。装飾具の取り付けは、例えば接着剤、粘着テープ、二重構造、カシメ構造等、どのような方法を用いてもよい。以下、具体例を挙げる。
【００４４】
図６（Ａ）〜（Ｃ）は、装飾具１０ｍをボード１１に取り付ける例を示す説明図である。図６（Ａ）に示すように、装飾具１０ｍは、本体１１０の裏面中央部分に、当該裏面よりも小さな面積の接触面を有する略円柱状のベース１１１を有し、反射部材１０２が本体１１０の裏面とベース１１１の側面及び裏面を覆う構造となっている。このような装飾具１０ｍは、例えば、図６（Ｂ）に示すように、ボード１１の貫通孔にベース１１１を挿して埋め込むことで、ボード１１から本体１１０が表側に露出するように配置できる。なお、図６（Ｃ）に示すように、テープ１３等でベース１１１の裏面とボード１１を貼り付けることで固定できる。なお、ベース１１１の側面や反射部材１０２の裏面とボード１１とを、接着剤等で接着してもよい。こうすることで、装飾具１０ｍの抜け落ちを防止することができる。また、外部から剥がされる事が防止できる。
【００４５】
図７（Ａ）〜（Ｃ）は、装飾具１０ｎをボード１１に取り付ける例を示す説明図である。図７（Ａ）に示すように、装飾具１０ｎは、本体１１０の裏面に、当該裏面よりも大きな面積の接触面を有する略円柱状のベース１１２を有している。このような装飾具１０ｎは、例えば、図７（Ｂ）に示すように、ボード１１の貫通孔に、裏から本体１１０を挿し込んで固定する。これにより、ボード１１からは本体１１０のみが表側に露出し、ベース１１２及び反射部材１０２はボード１１の裏側に残る。なお、図７（Ｃ）に示すように、裏側にさらに裏ボード１２を設けて二重構造とすることで、より強力に固定することが可能である。こうすることで、装飾具１０ｎの抜け落ちを防止することや、表から抜き取りにくくすることができる。
【００４６】
ベース１１２はここでは板状であるが、ボード１１から突出した部分（本体１１０）よりも大きな接触面を有していれば、例えば断面が台形状となるように拡径、或いは縮径していても良い。
【００４７】
図８（Ａ）〜（Ｃ）は、装飾具１０оをボード１１に取り付ける例を示す説明図である。図８（Ａ）に示すように、装飾具１０оは、装飾具１０ｎよりも高さが大きな本体１１０を有する。図８（Ｂ）に示すように、このような装飾具１０оでは、ボード１１から本体１１０が大きく突出するが、ベース１１２がボード１１の裏側に残るためにぐらつきが少なく、固定が容易となる。
【００４８】
次に、樹脂等で構成された厚みのある基材への取り付けについて説明する。図９（Ａ）は、基材１４に装飾具１０ｐを埋め込む例を示す説明図である。図示するように、装飾具１０ｐには、周囲に延出するフランジ部１１４を備える円柱形状のベース１１３を有している。このような装飾具１０ｐは、基材１４にベース１１３をインサート成形等により埋め込むことで、フランジ部１１４がアンカーとなって基材１４に強固に固定される。また、本体１１０の側面の一部を埋め込むことによって、本体１１０裏面が基材１４からはみ出ることなく、美的にも優れている。ここでフランジ部１１４は、その断面図において、略直角に構成されたコの字型の凹状の溝となるが、その形状は三角状や半球状の凹みなどでも良い。
【００４９】
図９（Ｂ）は、基材１４に装飾具１０ｑを埋め込む例を示す説明図である。図示するように、装飾具１０ｑは、本体１１０の裏面に、当該裏面よりも大きな面積の底面を有する略円柱状のベース１１２を有している。このような装飾具１０ｑは、基材１４に本体１１０の側面とベース１１２をインサート成形等により埋め込むことで、ベース１１２がアンカーとなって基材１４に強固に固定される。また、基材１４を心材１４ｂと被覆材１４ａからなる二重成形構造とし、ベース１１２を心材１４ｂに、本体１１０側面を被覆材１４ａに埋め込むことによって、ファセットカットされた部分のみを露出させることができる。
【００５０】
以上、本発明の一実施形態について説明した。本発明によれば、平面的な広告媒体に光透過性立体物である装飾具を取り付けることで、広告媒体の視認性を向上させ、訴求効果を増大させることができる。
【００５１】
なお、上記の実施形態は、本発明の要旨を例示することを意図し、本発明を限定するものではない。本発明の技術的思想の範囲内でさらなる様々な変形が可能である。また、上記各実施形態における各特徴をそれぞれ組み合わせて用いることもできる。
【００５２】
例えば、以上のような各装飾具は、上記のようなパッケージ型の広告媒体１のみならず、次のようなものにも使用可能である。図１０は、商品の外装としてブリスタパックを備える広告媒体２の斜視図である。広告媒体２には、取付け穴Ｆを有するブリスタパックＥに本物の商品Ａが封入されている。装飾具１０は、ブリスタパックＥの内側に配されていても、ブリスタパックＥを貫通していても、或いはブリスタパックＥの外側に設けられていてもよい。
【００５３】
また、装飾具自体が商品のブリスタパックの一部を構成していても良い。すなわち透光性の商品パッケージの一部が上記の装飾具の光透過性立体物を構成している。光透過性立体物は、パッケージの製造時に一体に成形され、光透過性立体物の裏面に反射部材が取り付けられる。
【００５４】
図１１は、展示ボードであるディスプレイボード（ＰＯＰ）として用いられる広告媒体３の正面図である。広告媒体３は、画像Ｂ１を円周状に着色することによって、装飾具１０により当該着色部分が視認されやすくなっている。なお、図１２に示すように、ディスプレイボード部２０と、ブリスタパック部３０を兼ね備えるような広告媒体４としてもよい。
【００５５】
また、装飾具の留め構造は、様々な方法を採用することができる。図１３（Ａ）は、装飾具１０ｑの留め構造を示す。装飾具１０ｑは、本体１１０の裏面の面積より小さい面積のベース１１３に、ベース１１３より広がるフック部１０５を備える挿込部１０５ｂを備える。挿込部１０５ｂは、複数の爪（例えば、２本）を備え、取付けの際は、爪の隙間が狭まることで、挿込部１０５ｂをボード１１の貫通孔に挿し込むことができる。挿し込んだ後、元の形状に戻ることで、フック部１０５がボード１１に引っ掛かり、装飾具１０ｑがボード１１から抜け落ちることを防止する。
図１３（Ｂ）は、装飾具１０ｒの留め構造を示す。フック部１０５の突出度合いは、上記の装飾具１０ｑのものより小さい。したがって、ボード１１の貫通孔に容易に挿し込むことができる。一方で、容易に抜け落ちてしまうので、フック部１０５に引っかかる形状（例えば、リング形状）の弾力性のある留め具１０５ａ取り付けることで、装飾具１０ｑがボード１１から抜け落ちることを防止する。
装飾具の留め構造は、これらに限定されない。ネジやクリップで留める構造であってもよい。
【００５６】
もちろん、広告媒体は上記に限らず、その他、プライスボード、雑誌広告、ダイレクトメール、チラシ、交通広告等、様々な媒体において使用できる。
【符号の説明】
【００５７】
１・２・３・４：広告媒体、
１０・１０ａ〜１０ｑ：装飾具、
１０１：ファセットカット、
１０２：反射部材、
１０３：凹凸部、
１０４・１０６・１０７・１１１・１１２・１１３：ベース、
１０５：フック部
１０５ａ：留め具、
１０５ｂ：挿込部、
１０８：反射片、
１１：ボード、
１１０：本体、
１１４：フランジ部、
１２：裏ボード、
１３：テープ、
１４：基材、
１４ａ：被覆材、
１４ｂ：心材、
２０：ディスプレイボード部、
３０：ブリスタパック部。
【図１】
2017129836.tif 000003
【図２】
2017129836.tif 000004
【図３】
2017129836.tif 000005
【図４】
2017129836.tif 000006
【図５】
2017129836.tif 000007
【図６】
2017129836.tif 000008
【図７】
2017129836.tif 000009
【図８】
2017129836.tif 000010
【図９】
2017129836.tif 000011
【図１０】
2017129836.tif 000012
【図１１】
2017129836.tif 000013
【図１２】
2017129836.tif 000014
【図１３】
2017129836.tif 000015
【手続補正書】
【提出日】平成29年3月8日(2017.3.8)
【手続補正１】
【補正対象書類名】特許請求の範囲
【補正対象項目名】全文
【補正方法】変更
【補正の内容】
【特許請求の範囲】
【請求項１】
広告媒体用の装飾具であって、
反射部材と、前記反射部材の反射面側に配置される光透過性立体物と、を備え、
前記光透過性立体物は、
本体と、
前記本体と前記反射部材との間に配置されるベースと、を含み、
前記装飾具は、前記ベースによって前記広告媒体に取り付けられる
ことを特徴とする装飾具。
【請求項２】
請求項１に記載の装飾具であって、
前記広告媒体は、商品、写真、画像、模型、または文字の少なくとも何れかを有し、
前記装飾具は、前記商品、写真、画像、模型、または文字の少なくとも何れかの近傍に配置されるものである
ことを特徴とする装飾具。
【請求項３】
請求項１または２に記載の装飾具であって、
前記本体の一部がファセットカットされている
ことを特徴とする装飾具。
【請求項４】
請求項１から３の何れか一項に記載の装飾具であって、
前記本体は、高さが幅の１／２以上である
ことを特徴とする装飾具。
【請求項５】
請求項１から４のいずれか一項に記載の装飾具であって、
前記ベースは、前記本体の裏面との接触面が、前記裏面よりも小さな面積を有している
ことを特徴とする装飾具。
【請求項６】
請求項５に記載の装飾具であって、
前記ベースは、当該ベースの底面から周囲に延出するフランジ部を有している
ことを特徴とする装飾具。
【請求項７】
請求項１から４のいずれか一項に記載の装飾具であって、
前記ベースは、前記本体の裏面との接触面が、前記裏面より大きな面積を有している
ことを特徴とする装飾具。
【請求項８】
請求項１から７の何れか一項に記載の装飾具であって、
前記光透過性立体物は、中空の部材を備える
ことを特徴とする装飾具。
【請求項９】
請求項１から７の何れか一項に記載の装飾具であって、
前記光透過性立体物は、同心の複数の中空部材を備える
ことを特徴とする装飾具。
【請求項１０】
請求項１から７の何れか一項に記載の装飾具であって、
前記光透過性立体物は、複数の円柱部材を備える
ことを特徴とする装飾具。
【請求項１１】
請求項１から７の何れか一項に記載の装飾具であって、
前記光透過性立体物は、複数の多角柱部材を備える
ことを特徴とする装飾具。
【請求項１２】
請求項１から７の何れか一項に記載の装飾具であって、
前記ベースは、湾曲面を有し、前記反射部材は前記湾曲面に形成されている
ことを特徴とする装飾具。
【請求項１３】
請求項１から７の何れか一項に記載の装飾具であって、
前記ベースには、反射片が含まれている
ことを特徴とする装飾具。
【請求項１４】
請求項１から１３の何れか一項に記載の装飾具であって、
前記光透過性立体物は、ラメ糸、金属片、鉱石粉体、ビーズ、蛍光材、畜光材、導光材の少なくとも一つを含んでいる
ことを特徴とする装飾具。